(57)【要約】      （修正有）【課題】収納するだけで虫干し効果が得られる簡易構成の着物保管袋を提供する。【解決手段】抗菌・消臭剤を含んだポリエチレンフィルムを採用した内層フィルムに、ポリビニルアルコールフィルムを採用した中間層フィルムを積層し、この中間層フィルムに、ポリプロピレンフィルムを採用した外層フィルムを積層して成る三層構造フィルムＡを用いて開口部４を有する袋体５を構成し、この袋体５は、畳んだ着物６を収納可能な形状に形成し、この袋体５の開口部４に、この開口部４を開閉自在に密封するファスナー７を設け、畳んだ着物６とともに袋体５内に収納可能なシート状の除湿剤８を備えた着物保管袋。【選択図】図３
0003171051.tif 000002
【実用新案登録請求の範囲】
【請求項１】
抗菌・消臭剤を含んだポリエチレンフィルムを採用した内層フィルムに、ポリビニルアルコールフィルムを採用した中間層フィルムを積層し、この中間層フィルムに、ポリプロピレンフィルムを採用した外層フィルムを積層して成る三層構造フィルムを用いて開口部を有する袋体を構成し、この袋体は、畳んだ着物を収納可能な形状に形成し、この袋体の前記開口部に、この開口部を開閉自在に密封するファスナーを設け、畳んだ着物とともに前記袋体内に収納可能なシート状の除湿剤を備えたことを特徴とする着物保管袋。
【請求項２】
前記袋体を扁平形状に形成し、この袋体内に、扁平に畳んだ着物とこの畳んだ着物に重ねた前記シート状の除湿剤とを収納し得るように構成したことを特徴とする請求項１記載の着物保管袋。
【請求項３】
前記シート状の除湿剤は、シリカゲルを採用したことを特徴とする請求項１，２のいずれか１項に記載の着物保管袋。
【請求項４】
前記シート状の除湿剤は、炭が配合されたものであることを特徴とする請求項１〜３のいずれか１項に記載の着物保管袋。
【考案の詳細な説明】
【技術分野】
【０００１】
本考案は、和装着物の保管袋に関するものである。
【背景技術】
【０００２】
出願人は、この種の着物保管具として、特開２００４−３２９３４２号（特許文献１）を提案している。
【０００３】
この特許文献１を簡単に説明すると、竹で形成され、着物を載せる竹製敷材と、この竹製敷材に載せた前記着物を包む覆いシート材とからなり、前記覆いシート材は少なくともタンパク質を含む水分を浸透させて天然有機物を含有させたシート材としたものである。
【０００４】
そして、この特許文献１によれば、竹製敷材の上に折り畳んだ衣類を載せて覆いシート材で包むだけで、竹の有する防虫、防カビ効果により、衣類を安全に保管することができ、また、覆いシート材に含有する天然有機物の遠赤外線の放射能力により、保管時に虫干しと同様の効果が得られる。
【先行技術文献】
【特許文献】
【０００５】
【特許文献１】特開２００４−３２９３４２号公報
【考案の概要】
【考案が解決しようとする課題】
【０００６】
本考案は、前記特許文献１と同等の保管時特性を有する簡易構成の着物保管袋を提案するものである。
【課題を解決するための手段】
【０００７】
添付図面を参照して本考案の要旨を説明する。
【０００８】
抗菌・消臭剤を含んだポリエチレンフィルムを採用した内層フィルム１に、ポリビニルアルコールフィルムを採用した中間層フィルム２を積層し、この中間層フィルム２に、ポリプロピレンフィルムを採用した外層フィルム３を積層して成る三層構造フィルムＡを用いて開口部４を有する袋体５を構成し、この袋体５は、畳んだ着物６を収納可能な形状に形成し、この袋体５の前記開口部４に、この開口部４を開閉自在に密封するファスナー７を設け、畳んだ着物６とともに前記袋体５内に収納可能なシート状の除湿剤８を備えたことを特徴とする着物保管袋に係るものである。
【０００９】
また、前記袋体５を扁平形状に形成し、この袋体５内に、扁平に畳んだ着物６とこの畳んだ着物６に重ねた前記シート状の除湿剤８とを収納し得るように構成したことを特徴とする請求項１記載の着物保管袋に係るものである。
【００１０】
また、前記シート状の除湿剤８は、シリカゲル10を採用したことを特徴とする請求項１，２のいずれか１項に記載の着物保管袋に係るものである。
【００１１】
また、前記シート状の除湿剤８は、炭が配合されたものであることを特徴とする請求項１〜３のいずれか１項に記載の着物保管袋に係るものである。
【考案の効果】
【００１２】
本考案は上述のように構成したから、畳んだ着物を袋体内に除湿剤とともに収納して開口部をファスナーで密封するだけで、虫やカビの発生及び湿気を防いで虫干し効果を得ることができ、また、除湿剤がシート状であるため、袋体内で嵩張らず且つ着物にしわを付けにくいようにして収納でき、しかも、本考案の袋体は、特に外層フィルムの強度が高く、丈夫で長期保管にも適するなど、極めて実用性に優れた簡易構成の高い着物保管袋となる。
【００１３】
また、請求項２記載の考案においては、嵩のない扁平状態で着物を保管可能となり、保管スペースを有効活用できる一層実用性に優れた着物保管袋となる。
【００１４】
また、請求項３記載の考案においては、シリカゲルの持つ吸湿性により、袋体内の調湿機能と着物の湿気吸収機能とが極めて良好に発揮される一層実用性に優れた着物保管袋となる。
【００１５】
また、請求項４記載の考案においては、除湿剤が除湿機能に加えて浄化・脱臭機能も発揮して一層良好な保管環境が実現できる極めて実用性に優れた着物保管袋となる。
【図面の簡単な説明】
【００１６】
【図１】本実施例を示す斜視図である。
【図２】着物を畳んでたとう紙に包む様子を示す説明斜視図である。
【図３】本実施例の袋体に、畳んだ着物を除湿剤とともに収納しようとする様子を示す説明斜視図である。
【図４】本実施例の袋体に、畳んだ着物を収納した状態を示す説明斜視図である。
【図５】本実施例の袋体に、畳んだ着物を収納した状態を示す説明側断面図である。
【図６】本実施例の三層構造フィルムを示す部分拡大側断面図である。
【考案を実施するための形態】
【００１７】
好適と考える本考案の実施形態を、図面に基づいて本考案の作用を示して簡単に説明する。
【００１８】
畳んだ着物６を、シート状の除湿剤８とともに開口部４から袋体５内に収納し、開口部４をファスナー７で密封して保管する。
【００１９】
すると、袋体５を構成する三層構造フィルムＡの内層フィルム１（抗菌・消臭剤を含んだポリエチレンフィルム）の抗菌・消臭機能により、虫食いを引き起こす害虫やカビの繁殖が抑制されるとともに、着物６からの悪臭の発生が抑制され、さらに除湿剤８により袋体５内が調湿され、着物６が持つ湿気も除湿（吸湿）されて保管に適した環境となる。
【００２０】
また、開口部４がファスナー７で密封されると共に、袋体５を構成する三層構造フィルムＡの中間層フィルム２（ポリビニルアルコールフィルム）が空気遮断性（ガスバリア性）に優れるため、袋体５外部の湿気を含んだ空気がファスナー７と中間層フィルム２によって遮断されて袋体５内に侵入することがない。
【００２１】
従って、袋体５内に畳んだ着物６を除湿剤８とともに収納するだけで、虫やカビの発生も湿気も防ぐことができ、このようにして保管しておくことで虫干し効果を得ることができる。
【００２２】
また、シート状の除湿剤８は、例えば、この除湿剤８を畳んだ着物６の上や下に重ねるようにして袋体５内に収納配置することによって、袋体５内で嵩張らず、また着物６がしわになりにくい。
【００２３】
また、袋体５を構成する三層構造フィルムＡの外層フィルム３（ポリプロピレンフィルム）は強度が高く、丈夫で長期的な保管にも適する。
【００２４】
また、例えば、前記袋体５を扁平形状に形成し、この袋体５内に、扁平に畳んだ着物６とこの畳んだ着物６に重ねた前記シート状の除湿剤８とを収納し得るように構成した場合には、嵩張らない扁平状態で着物６を保管可能となり、少スペースに保管できるので保管スペースを有効活用できる。
【００２５】
また、例えば、前記シート状の除湿剤８としてシリカゲル10を採用した場合には、シリカゲル10の持つ吸湿性により、袋体５内の調湿機能と着物６の湿気吸収機能とが良好に発揮されることになる。
【００２６】
また、例えば、前記シート状の除湿剤８として炭が配合されたものを採用した場合には、除湿機能に加えて炭の浄化・脱臭機能などが発揮されて、袋体５内が一層良好な保管環境となる。
【実施例】
【００２７】
本考案の具体的な実施例について図面に基づいて説明する。
【００２８】
本実施例の袋体５は、図１，図３に示すように、扁平形状であって平面視長方形状に形成し、この袋体５の一側の短辺を開口部４としている。
【００２９】
また、この袋体５は、長辺が９８０ｍｍ、短辺が４３０ｍｍ程度の大きさに設定し、この袋体５内に扁平に畳んだ和装着物６を三枚程重ねて収納できるように構成している（図３〜図５参照。）。
【００３０】
また、この袋体５は、図６に示すように、抗菌・消臭剤を含んだポリエチレンフィルムを採用した内層フィルム１に、ポリビニルアルコールフィルムを採用した中間層フィルム２を積層し、この中間層フィルム２に、ポリプロピレンフィルムを採用した外層フィルム３を積層して成る三層構造フィルムＡを用いて構成している。
【００３１】
更に具体的には、上記寸法の長方形状をなす三層構造フィルムＡを二枚用意し、この二枚の三層構造フィルムＡを上下に重ね合わせて一側短辺を除いた他の三辺をヒートシールすることで、一側短辺が前記開口部４となる袋体５を構成している。
【００３２】
また、内層フィルム１は、厚さ約１００μｍのリニアポリエチレン（直鎖状低密度ポリエチレン）フィルムを採用し、中間層フィルム２は、厚さ約１２μｍの延伸ポリビニルアルコールフィルムを採用し、外層フィルム３は、厚さ約２０μｍの延伸ポリプロピレンフィルムを採用して非常に薄厚な三層構造フィルムＡを構成し、この三層構造フィルムＡで構成された袋体５を、不使用時などには折り畳んで嵩張らない状態で保管できる構成としている。
【００３３】
また、内層フィルム１としてのリニアポリエチレンフィルムには、全域に亘って銀イオン系抗菌剤とカテキン抗酸化剤（ポリフェノールなど）とを高密度に含有させて、抗菌、消臭機能を持たせている。尚、抗菌・消臭剤は、本実施例に限られるものではない。
【００３４】
また、本実施例では、袋体５の開口部４に、この開口部４を開閉自在に密封するファスナー７を設けている。
【００３５】
本実施例のファスナー７は、公知のジッパーを採用している。
【００３６】
即ち、詳しく図示していないが、袋体５の開口部４の対向内面（袋体５の一側の短辺付近の対向内面）に、この開口部４の開口幅方向に長さを有する雄型嵌合部と雌型嵌合部とを設け、この雄型嵌合部と雌型嵌合部を雄雌嵌合させることで開口部４が密封閉塞され、開口部４を手で開くように操作することで雄型嵌合部と雌型嵌合部とを嵌脱させて開口部４を開放できる構成としている。尚、ファスナー７は、ジッパー以外の構成を採用しても良い。
【００３７】
また、開口部４には、この開口部４に沿って開口部４の幅方向にスライド移動可能なスライダー９を設け、この開口部４が開放している状態でこのスライダー９を開口部４に沿って端から端までスライド移動させると、雄型嵌合部と雌型嵌合部とが雄雌嵌合して開口部４を密封閉塞状態にできる構成としている。
【００３８】
また、本実施例は、畳んだ着物６とともに前記袋体５内に収納可能なシート状の除湿剤８を備えている。
【００３９】
具体的には、シート状の除湿剤８は、不織布などを用いて構成した方形状のベースシート11に、吸湿性の高いシリカゲル10（Ｂ型）を複数並設状態に設けた構成としている。また、本実施例では、各シリカゲル10に浄化・消臭機能のある備長炭を配合した構成としている。
【００４０】
次に、本実施例の使用方法（着物６の保管方法）を説明する。
【００４１】
先ず、着物６を袋体５内に収納可能な大きさに畳み、この畳んだ着物６をたとう紙12で包む（図２参照。）。
【００４２】
次いで、この（たとう紙12に包まれた）畳んだ着物６を、開口部４から袋体５内へ収納し、この際、例えば図３に示すように、畳んだ着物６の上に重ねるように除湿剤８を置いて袋体５内に収納する。
【００４３】
次いで、スライダー９をスライドさせてファスナー７を密封閉塞し（図４，図５参照。）、この状態で本着物収納袋を桐箪笥などの保管場所に保管する。
【００４４】
尚、本考案は、本実施例に限られるものではなく、各構成要件の具体的構成は適宜設計し得るものである。
【符号の説明】
【００４５】
１  内層フィルム
２  中間層フィルム
３  外層フィルム
４  開口部
５  袋体
６  着物
７  ファスナー
８  除湿剤
10  シリカゲル
Ａ  三層構造フィルム
【図１】
0003171051.tif 000003
【図２】
0003171051.tif 000004
【図３】
0003171051.tif 000005
【図４】
0003171051.tif 000006
【図５】
0003171051.tif 000007
【図６】
0003171051.tif 000008